(57)【特許請求の範囲】
【請求項１】
厚さ方向に貫通するボルト貫通穴を有する被連結板と、前記ボルト貫通穴に貫通されて角状ボルト頭を前記被連結板に係止させる固定ボルトと、該固定ボルトに係合される係合凹部を有する連結板と、前記固定ボルトのねじ部に螺合されて前記被連結板と前記連結板を相互に締め付けるナットとを備える連結構造において、
前記被連結板に取付けられて前記角状ボルト頭を回転不能に保持する回転防止部と、
前記ねじ部の先端側で径方向に突設され、前記ナットが前記ねじ部より外れるのを防止する外れ防止部と、
前記ナットと前記連結板との間に介在される座金本体及び前記被連結板の板面より離間する方向に折り曲げられて前記連結板を前記座金本体と前記被連結板との間の係合位置へ案内する折曲部を有する案内座金と、
前記固定ボルトの前記角状ボルト頭と前記ねじ部との間に設けられ、前記被連結板と前記連結板及び前記案内座金を位置決めすべくこれらの各板厚を合わせた長さ寸法に設定されている非ねじ部とを含むことを特徴とする連結構造。
【発明の詳細な説明】
【０００１】
【産業上の利用分野】
本発明は、被連結板と連結板を固定ボルト及びナットにて連結する連結構造に関する。
【０００２】
【従来の技術】
近年、低圧配線系統を地中に布設することが多くなってきている。そこで、最近では幹線ケーブルが引き込まれて布設される管路の間に、直方体形状のハンドホールを配し、このハンドホールに低圧分岐装置を格納して地中に埋設することが行われている。
【０００３】
図２は三相４線式の低圧分岐装置の正面図であり、１は幹線ケーブル接続部である。この幹線ケーブル接続部１は一対が一組として立ち上げられ、幹線ケーブル２の端末が導入されている筒状の防水カバー３を有している。幹線ケーブル２の上端はクリート４にて固定され、クリート４は支持体５に固定的に支持されている。支持体５の上端には固定板６が取付けられ、固定板６上にはＴ型分岐体７が配設されている。分岐体７には幹線連結体８及び分岐ケーブル接続部９がそれぞれ装着されている。
【０００４】
さて、図３は上記した幹線ケーブル２と分岐体７との連結構造を示し、図４は同構造の分解図である。これらの図において、１０は低圧限流ヒューズを示している。この低圧限流ヒューズ１０はヒューズ本体１１と、このヒューズ本体１１の両端に取付けられているＥ字状の端子板１２，１２とから成る。ヒューズ本体１１は絶縁キャップ内に銀等の可溶体が収納され、可溶体とキャップとの間には消弧砂が配されている。
【０００５】
かかる構造の低圧限流ヒューズにおいて、下方の端子板１２には幹線ケーブル２のケーブル導体２Ａに圧縮固定されている圧縮端子１３が固定される。圧縮端子１３は被連結導体板１４を有し、この被連結導体板１４を端子板１２に面接触させ、固定ボルト１５を端子板１２の凹部１２ａに係入して被連結導体板１４の貫通穴１４ａに通し、ばね座金１６と平座金１９を介してナット１７を螺合させることにより、端子板１２と連結されている。また、上方の端子板１２には分岐体７側の非連結導体板１８が固定ボルト１５及びばね座金１６、平座金１９、ナット１７を介して同様に連結されている。
【０００６】
【発明が解決しようとする課題】
ところで、低圧限流ヒューズ１０の溶断等でヒューズを交換する際には、ナット１７を緩め、又その交換後にナット１７を締め付ける作業が必要となる。
しかし、上記した従来の連結構造では、ナット１７を緩め又は締め付ける場合固定ボルト１５の共回りを防止するために固定ボルト１５のボルト頭をモンキースパナ等で予め固定しておく必要がある。
また、ナット１７を緩め、固定ボルト１５に端子板１２を係合させる際にはこの係合間隔を確保すべくばね座金１６と平座金１９をナット１７側に移動させる必要がある。
このため、従来の連結構造では連結作業に多大な手間と時間を要し、作業性の点で問題があった。
【０００７】
一方、端子板１２の係合作業を容易に行うために、ナット１７を固定ボルト１５より外し、ばね座金１６と平座金１９も固定ボルト１５より外すことも行われている。しかし、このようにナット１７、ばね座金１６、平座金１９を外す場合にはこれら部品を紛失する虞れがある。
【０００８】
本発明はこのような点を解決するためになされたもので、部品を紛失することがなく、しかも作業性の優れた連結構造を提供することを目的とする。
【０００９】
【課題を解決するための手段】
本発明は、被連結板のボルト貫通穴に固定ボルトを貫通させ、この固定ボルトに連結板を係合させ、かつナットを螺合する連結構造において、被連結板に取り付けられて固定ボルトの角状ボルト頭を回転不能に保持する回転防止部と、固定ボルトのねじ部の先端側に突設されてナットが外れるのを防止する外れ防止部と、前記ナットと前記連結板との間に介在される座金本体及び前記被連結板の板面より離間する方向に折り曲げられて前記連結板を前記座金本体と前記被連結板との間の係合位置へ案内する折曲部を有する案内座金と、
固定ボルトの角状ボルト頭とねじ部との間に設けられて被連結板、連結板及び案内座金を位置決めすべくこれらの各板厚を合わせた長さ寸法を有する非ねじ部とを含むことを特徴としている。
【００１０】
【作用】
回転防止部が角状ボルト頭の回転を防止しているので、固定ボルトを共回りさせずにナットを緩め、かつ締め付けることができる。
一方、ナットを緩めても外れ防止部により固定ボルトより外れるのが防止されるので、ナット及び案内座金の紛失を防ぐことができる。
他方、ナット等を外さなくても連結板は案内座金の折曲部を介してこの案内座金を固定ボルト上で移動させつつ固定ボルトに係合し、しかも案内座金は固定ボルトの非ねじ部上に位置するので、その移動が円滑である。
【００１１】
【実施例】
以下、本発明の実施例を図面を参照して詳細に説明する。
図１は本発明に係る連結構造を低圧分岐装置の幹線ケーブルと分岐体との連結に適用した実施例を示し、同図（Ａ）はその正面図、同図（Ｂ）はその側面図である。
先ず、低圧限流ヒューズ１０はヒューズ本体１１と、このヒューズ本体１１の両端に取付けられているＥ字状の端子板１２，１２とから成る。これらの端子板１２，１２は連結板を構成し、それぞれ係合凹部１２ａ，１２ａを有している（図４参照）。
【００１２】
次に、幹線ケーブル２（図２参照）の導体に固定されている圧縮端子からは被連結導体板１４が伸長している。この被連結導体板１４には厚さ方向に貫通するボルト貫通穴１４ａ，１４ａが設けられている。
各ボルト貫通穴１４ａには固定ボルト２０が貫通されている。各固定ボルト２０は六角状のボルト頭２１を有し、これらのボルト頭２１には回転防止体２２が被着されている。回転防止体２２は断面コ字状に形成されてボルト頭２１の対向する面に面接触され、止めねじ２３を介して被連結導体板１４に固定されている。従って、ボルト頭２２が回転防止体２２にて挟み付けられている状態に保持されているので、固定ボルト２０の回転が阻止されることになる。
【００１３】
固定ボルト２０の先端側の略半部にはねじ部２４が設けられている。このねじ部２４の先端には止め輪２５が設けられている。従って、ねじ部２４に螺合されているナット１７は緩められた場合でも止め輪に当たってその回動が規制され、よって、ねじ部２４より外れることがない。
ナット１７と固定ボルト２０に係合している一方の端子板１２との間には、ばね座金１６と案内座金２６とが配されている。案内座金２６は矩形状に形成されて一対の固定ボルト２０，２０が貫通され、両端に被連結導体板１４の板面より離間する方向に折り曲げられている折曲部２６ａ，２６ａが形成されている。
【００１４】
固定ボルト２０のボルト頭２１とねじ部２４との間には軸部から成る非ねじ部２７が形成されている。この非ねじ部２７は被連結導体板１４、端子板１２、ばね座金１６及び案内座金２６の板厚を合計した長さ寸法Ｌに設定されている。従って、案内座金２６等を非ねじ部２７上で円滑に移動させることができる。
尚、分岐体から伸長する被連結導体板１８は他方の端子板１２と全く同様に連結されているので、同一部分には同一符号を付してその説明を省略する。
【００１５】
以上の構成を有する連結構造において、固定ボルト２０のボルト頭２１は回転防止体２２によりその回転が阻止されているので、ナット１７を緩め、又は締め付ける場合でも固定ボルト２０が共回りすることがない。
また、ナット１７は緩めた場合止め輪２５に当たって回動が規制されるので、ねじ部２４より外れることがない。
【００１６】
一方、低圧限流ヒューズ１０を交換するために端子板１２をその幅方向に持ち上げ、固定ボルト２０に対する係合を外すと、案内座金２６及びばね座金１６は非ねじ部２７上で移動し、被連結導体板１４側に接近し又は接触する。この状態において、交換した低圧限流ヒューズ１０の端子板１２を幅方向に案内座金２６と被連結導体板１４との間に押し込むと、案内座金２６の折曲部２６ａを押圧するので、案内座金２６及びばね座金１６が非ねじ部２７上で被連結導体板１４より離間する方向に移動する。従って、案内座金２６等を持ち上げることなく端子板１２を固定ボルト２０に係合させることができる。この場合非ねじ部２７上に案内座金２６等が位置するので、案内座金２６等の移動が円滑である。
【００１７】
上記実施例では本発明を低圧分岐装置の幹線ケーブル接続部に適用しているが、その他の電気機器の接続部や一般的な機械部分の連結箇所にも適用することができる。
尚、止め輪２５に代えて突起状の部材を取付けてもよく、要はナット１７がねじ部２４より外れるのを防止できる形状であればよい。
また、非ねじ部２７の長さ寸法Ｌを大きくすると、ナット１７のねじ部２４への螺合が不完全となり、小さくするとねじ部２４上にばね座金１６等が位置するので、その移動の円滑性が損なわれる。
【００１８】
【発明の効果】
以上説明したように、本発明によれば、ボルト頭の回転を回転防止部にてナットを緩める際等の固定ボルトの共回りを防ぐと共に、非ねじ部上の案内座金に設けた折曲部を介して連結板にて案内座金を移動させつつ固定ボルトに係合させ、かつナットがねじ部の外れ防止部により固定ボルトより外れるのを防止したので、ナット等の部品を紛失することなく作業性よく連結及びその解除作業を行うことができる連結構造を提供することが可能である。
【図面の簡単な説明】
【図１】（Ａ）は本発明に係る連結構造の一部を断面して示す正面図、（Ｂ）は同連結構造の側面図である。
【図２】低圧分岐装置の正面図である。
【図３】幹線ケーブル接続部の従来の連結構造を示す断面図である。
【図４】従来の連結構造の分解図である。
【符号の説明】
１０  低圧限流ヒューズ
１２  端子板
１２ａ  係入凹部
１４，１８  非連結導体板
２０  固定ボルト
２１  ボルト頭
２２  回転防止体
２４  ねじ部
２５  止め輪
２６  案内座金
２６ａ  折曲部
２７  非ねじ部
【図１】
0003604763.tif 000002
【図２】
0003604763.tif 000003
【図３】
0003604763.tif 000004
【図４】
0003604763.tif 000005